【手続補正書】
【提出日】平成17年12月26日(2005.12.26)
【手続補正１】
【補正対象書類名】明細書
【補正対象項目名】特許請求の範囲
【補正方法】変更
【補正の内容】
【特許請求の範囲】
【請求項１】  エネルギー伝達エレメント・コアと、
エネルギー伝達エレメント・コアの周囲に巻かれ、第１ノードに結合した第１端部と第２ノードに結合した第２端部とを有する第１の巻線と、
エネルギー伝達エレメント・コアの周囲に巻かれ、第３ノードに結合した第１端部と第４ノードに結合した第２端部を有すると共に、第１の巻線と容量結合する第２の巻線と、
エネルギー伝達エレメント・コアの周囲に巻かれた第１または第２の巻線の一方に含まれ、且つ上記第１ノードと第２ノードとの間に存在して、エネルギー伝達エレメントと電気接地の間を流れる容量性変位電流を実質的に小さくするための平衡部分と
を備えるエネルギー伝達エレメント。
【請求項２】  前記第１または第２の巻線の一方の平衡部分が、前記容量性変位電流を小さくするために、エネルギー伝達エレメントと電気接地の間に生成される相対静電界を平衡させるようになされる請求項１に記載のエネルギー伝達エレメント。
【請求項３】  第１の巻線が、エネルギー伝達エレメント入力巻線を備える請求項１に記載のエネルギー伝達エレメント。
【請求項４】  第１の巻線が、エネルギー伝達エレメント出力巻線を備える請求項１に記載のエネルギー伝達エレメント。
【請求項５】  平衡部分が、第１の巻線の複数の層のうちの１つである請求項１に記載のエネルギー伝達エレメント。
【請求項６】  平衡部分が、第２の巻線に最も近接して巻かれた第１の巻線の複数の層のうちの１つである請求項１に記載のエネルギー伝達エレメント。
【請求項７】  平衡部分が、第２の巻線の複数の層のうちの１つである請求項１に記載のエネルギー伝達エレメント。
【請求項８】  平衡部分が、第１の巻線に最も近接して巻かれた第２の巻線の複数の層のうちの１つである請求項１に記載のエネルギー伝達エレメント。
【請求項９】  前記第１または第２の巻線の一方の平衡部分の巻き数が、エネルギー伝達エレメントと電気接地の間に生成される相対静電界を平衡させるように選択される請求項１に記載のエネルギー伝達エレメント。
【請求項１０】  前記第１または第２の巻線の一方の平衡部分が、エネルギー伝達エレメントの有効巻線領域のカバレージを提供するように巻かれる請求項１に記載のエネルギー伝達エレメント。
【請求項１１】  前記第１または第２の巻線の一方の平衡部分が、エネルギー伝達エレメントの有効巻線領域に平行に巻かれたワイヤを備え、それによりエネルギー伝達エレメントの有効巻線領域をカバーし、エネルギー伝達エレメントと電気接地の間に生成される相対静電界を平衡させる請求項１０に記載のエネルギー伝達エレメント。
【請求項１２】  前記第１または第２の巻線の一方の平衡部分が、エネルギー伝達エレメントの有効巻線領域をカバーするように選択されたゲージを有するワイヤを備え、それによりエネルギー伝達エレメントと電気接地の間に生成される相対静電界を平衡させる請求項１０に記載のエネルギー伝達エレメント。
【請求項１３】  エネルギー伝達エレメントがフライバックトランス内に含まれる請求項１に記載のエネルギー伝達エレメント。
【請求項１４】  エネルギー伝達エレメントがフォワード・コンバータ・トランス内に含まれる請求項１に記載のエネルギー伝達エレメント。
【請求項１５】  エネルギー伝達エレメント・コアと、
エネルギー伝達エレメント・コアの周囲に巻かれ、第１ノードに結合した第１端部と第２ノードに結合した第２端部とを有する第１の巻線と、
エネルギー伝達エレメント・コアの周囲に巻かれ、第３ノードに結合した第１端部と第４ノードに結合した第２端部を有すると共に、第１の巻線と容量結合する第２の巻線と、
エネルギー伝達エレメント・コアの周囲に巻かれた第１または第２の巻線の一方に含まれ、且つ上記第１ノードと第２ノードの間に存在して、第１の巻線と第２の巻線の間を流れる容量性変位電流を実質的に小さくするための平衡部分とを備えるエネルギー伝達エレメント。
【請求項１６】  前記第１または第２の巻線の一方の平衡部分が、前記容量性変位電流を小さくするために、第１の巻線と第２の巻線の間に生成される相対静電界を平衡させるようになされる請求項１５に記載のエネルギー伝達エレメント。
【請求項１７】  第１の巻線が、エネルギー伝達エレメント入力巻線を備える請求項１５に記載のエネルギー伝達エレメント。
【請求項１８】  第１の巻線が、エネルギー伝達エレメント出力巻線を備える請求項１５に記載のエネルギー伝達エレメント。
【請求項１９】  平衡部分が、第１の巻線の複数の層のうちの１つである請求項１５に記載のエネルギー伝達エレメント。
【請求項２０】  平衡部分が、第２の巻線に最も近接して巻かれた第１の巻線の複数の層のうちの１つである請求項１５に記載のエネルギー伝達エレメント。
【請求項２１】  平衡部分が、第２の巻線の複数の層のうちの１つである請求項１５に記載のエネルギー伝達エレメント。
【請求項２２】  平衡部分が、第１の巻線に最も近接して巻かれた第２の巻線の複数の層のうちの１つである請求項１５に記載のエネルギー伝達エレメント。
【請求項２３】  前記第１または第２の巻線の一方の平衡部分の巻き数が、第１の巻線と第２の巻線の間に生成される相対静電界を平衡させるように選択される請求項１５に記載のエネルギー伝達エレメント。
【請求項２４】  前記第１または第２の巻線の一方の平衡部分が、エネルギー伝達エレメントの有効巻線領域のカバレージを提供するように巻かれる請求項１５に記載のエネルギー伝達エレメント。
【請求項２５】  前記第１または第２の巻線の一方の平衡部分が、エネルギー伝達エレメントの有効巻線領域に平行に巻かれたワイヤを備え、それによりエネルギー伝達エレメントの有効巻線領域をカバーし、第１の巻線と第２の巻線の間に生成される相対静電界を平衡させる請求項２４に記載のエネルギー伝達エレメント。
【請求項２６】  前記第１または第２の巻線の一方の平衡部分が、エネルギー伝達エレメントの有効巻線領域をカバーするように選択されたゲージを有するワイヤを備え、それにより第１の巻線と第２の巻線の間に生成される相対静電界を平衡させる請求項２４に記載のエネルギー伝達エレメント。
【請求項２７】  エネルギー伝達エレメントがフライバックトランス内に含まれる請求項１５に記載のエネルギー伝達エレメント。
【請求項２８】  エネルギー伝達エレメントがフォワード・コンバータ・トランス内に含まれる請求項１５に記載のエネルギー伝達エレメント。
【請求項２９】  第１および第２の入力電圧端子と、
第１の入力電圧端子に結合された少なくとも１つの入力巻線、および少なくとも１つの出力巻線を備え、さらに、入力巻線または出力巻線の一方に含まれた、入力巻線と出力巻線の間を流れる容量性変位電流を実質的に小さくするための平衡部分を有するエネルギー伝達エレメントと、
エネルギー伝達エレメントと第２の入力電圧端子の間に結合されたスイッチであって、電源の出力に応じてスイッチを制御するようになされた制御回路に結合された制御端子を有するスイッチとを備える電源。
【請求項３０】  前記入力巻線または出力巻線の一方の平衡部分が、前記容量性変位電流を小さくするために、入力巻線と出力巻線の間に生成される相対静電界を平衡させるようになされる請求項２９に記載の電源。
【請求項３１】  平衡部分が、入力巻線の複数の層のうちの１つである請求項２９に記載の電源。
【請求項３２】  平衡部分が、出力巻線に最も近接して巻かれた入力巻線の複数の層のうちの１つである請求項３１に記載のエネルギー伝達エレメント。
【請求項３３】  平衡部分が、第２の巻線の複数の層のうちの１つである請求項２９に記載のエネルギー伝達エレメント。
【請求項３４】  平衡部分が、第１の巻線に最も近接して巻かれた第２の巻線の複数の層のうちの１つである請求項３３に記載のエネルギー伝達エレメント。
【請求項３５】  エネルギー伝達エレメント・コアの周囲に、入力巻線の複数の層を巻き付けるステップと、
入力巻線の複数の層のうちの１つを、入力巻線の他の層に含まれている巻き数とは異なる巻き数で巻き付けるステップと、
入力巻線と出力巻線の間を流れる容量性変位電流を実質的に小さくするために、エネルギー伝達エレメント・コアの周囲に、入力巻線の複数の層のうちの前記１つの層の巻き数と実質的に同じ巻き数で、出力巻線を巻き付けるステップとを含む方法。
【請求項３６】  入力巻線の複数の層のうちの前記１つの層が、出力巻線に最も近接して巻かれた入力巻線の層である請求項３５に記載の方法。
【請求項３７】  エネルギー伝達エレメント・コアの周囲に、複数の入力巻線層を巻き付けるステップと、
エネルギー伝達エレメント・コアの周囲に、出力巻線の複数の層を巻き付けるステップと、
出力巻線に最も近接して巻かれた入力巻線の層に含まれている巻き数に実質的に等しい巻き数で、出力巻線の複数の層の１つを巻き付けるステップと、
入力巻線と出力巻線の間を流れる容量性変位電流を実質的に小さくするために、エネルギー伝達エレメント・コアの周囲に、出力巻線の複数の層のうちの前記１つの層の巻き数とは異なる巻き数で、出力巻線の他の層を巻き付けるステップとを含む方法。
【請求項３８】  エネルギー伝達エレメント・コアの周囲に、入力巻線の複数の層を巻き付けるステップと、
巻線領域をカバーするために、平行に巻かれた複数のワイヤを使用して、入力巻線の複数の層のうちの１つを巻き付けるステップであって、外側層が全入力巻線電流を導くステップと、
エネルギー伝達エレメント・コアの周囲に出力巻線を巻き付けるステップとを含み、入力巻線の複数の層のうちの前記１つの層が、入力巻線と出力巻線の間を流れる容量性変位電流を実質的に小さくするために、多数の巻き数およびゲージを有する方法。
【請求項３９】  入力巻線の複数の層のうちの前記１つの層が、前記容量性変位電流を小さくするために、入力巻線と出力巻線の間に生成される相対静電界を平衡させるようになされる請求項３８に記載の方法。